(57)【要約】      （修正有）【課題】工具を使わずに片手でパネルを取り外し可能なパネルモジュールを提供する。【解決手段】取り外し可能なパネルモジュールは、ホストケーシングに分離可能に連結され、パネル１１と、パネルに対してスライドし、第１端部Ａ及び第２端部Ｂを有するロッド１３と、ロッドの第１端部に設置され、ロッドに固設される第１ロック部材１４１を含み、第１端部の箇所でホストケーシングに分離可能に連結されるプレスモジュール１４と、ロッドの第２端部に設置され、パネルにスライド可能に設置される第２ロック部材１５１を含み、第２端部の箇所でホストケーシングに分離可能に連結される作動モジュール１５と、を備える。プレスモジュールが起動されると、第１ロック部材及び第２ロック部材が反対方向に移動してパネルがホストケーシングから分離される。【選択図】図１Ｂ
0003226617.tif 000002
【実用新案登録請求の範囲】
【請求項１】
ホストケーシングに分離可能に連結される取り外し可能なパネルモジュールであって、
パネルと、
前記パネルに対してスライドし、第１端部及び第２端部を有するロッドと、
前記ロッドの前記第１端部に設置され、前記ロッドに固設される第１ロック部材を含み、前記第１端部の箇所で前記ホストケーシングに分離可能に連結されるプレスモジュールと、
前記ロッドの前記第２端部に設置され、前記パネルにスライド可能に設置される第２ロック部材を含み、前記第２端部の箇所で前記ホストケーシングに分離可能に連結される作動モジュールと、を備え、
前記プレスモジュールが起動されると、前記第１ロック部材及び前記第２ロック部材が反対方向に移動することにより前記パネルが前記ホストケーシングから分離されることを特徴とする、
取り外し可能なパネルモジュール。
【請求項２】
前記プレスモジュールは、プレス部と、一端が前記プレス部に連接され、他端が前記パネルに固設される少なくとも１つの第１弾性部材と、を備え、前記プレス部が作動されると前記第１弾性部材が前記ロッドを押して第１方向に沿ってスライドさせ、前記プレス部が解放されると前記第１弾性部材が前記第１ロック部材及び前記プレス部を第２方向に沿って移動させ、前記第１方向は前記第２方向とは逆方向であることを特徴とする請求項１に記載の取り外し可能なパネルモジュール。
【請求項３】
前記作動モジュールは、前記パネルに枢設される回転可能な回転部材と、前記回転部材の一端に設けられると共に前記ロッドの前記第２端部に連結される第１延長部と、前記回転部材の他端に設けられると共に前記第２ロック部材に連結される第２延長部と、を備え、前記ロッドがスライドすると、前記ロッドの前記第２端部により前記第１延長部が押され、前記回転部材が回転することで前記第２延長部が駆動され、これにより前記第２ロック部材が押されることを特徴とする請求項１または２に記載の取り外し可能なパネルモジュール。
【請求項４】
ホストケーシングと、
前記ホストケーシングに内設される複数の電子素子と、
前記ホストケーシングに連結されるパネルと、
前記パネルに対してスライドし、第１端部及び第２端部を有するロッドと、
前記ロッドの前記第１端部に設置され、前記ロッドに固設される第１ロック部材を含み、前記第１端部の箇所で前記ホストケーシングに分離可能に連結されるプレスモジュールと、
前記ロッドの前記第２端部に設置され、前記パネルにスライド可能に設置される第２ロック部材を含み、前記第２端部の箇所で前記ホストケーシングに分離可能に連結される作動モジュールと、を備え、
前記プレスモジュールが起動されると、前記第１ロック部材及び前記第２ロック部材が反対方向に移動することにより前記パネルが前記ホストケーシングから分離されることを特徴とする、
電子機器。
【請求項５】
前記プレスモジュールは、プレス部と、一端が前記プレス部に連接され、他端が前記パネルに固設される少なくとも１つの第１弾性部材と、を備え、前記プレス部が作動されると前記第１弾性部材が前記ロッドを押して第１方向に沿って移動させ、前記プレス部が解放されると前記第１弾性部材が前記第１ロック部材及び前記プレス部を第２方向に沿って移動させ、前記第１方向は前記第２方向とは逆方向であることを特徴とする請求項４に記載の電子機器。
【請求項６】
前記作動モジュールは、前記パネルに枢設される回転可能な回転部材と、前記回転部材の一端に設けられると共に前記ロッドの前記第２端部に連結される第１延長部と、前記回転部材の他端に設けられると共に前記第２ロック部材に連結される第２延長部と、を備え、前記ロッドがスライドすると、前記ロッドの前記第２端部により前記第１延長部が押され、前記回転部材が回転することで前記第２延長部が駆動され、これにより前記第２ロック部材が押されることを特徴とする請求項４または５に記載の電子機器。
【請求項７】
ホストケーシングと、
前記ホストケーシングに連結されるパネルと、
前記パネルに対してスライドし、第１端部及び第２端部を有するロッドと、
前記ロッドの前記第１端部に設置され、前記ロッドに固設される第１ロック部材を含み、前記第１端部の箇所で前記ホストケーシングに分離可能に連結されるプレスモジュールと、
前記ロッドの前記第２端部に設置され、前記パネルにスライド可能に設置される第２ロック部材を含み、前記第２端部の箇所で前記ホストケーシングに分離可能に連結される作動モジュールと、を備え、
前記プレスモジュールが起動されると、前記第１ロック部材及び前記第２ロック部材が反対方向に移動することにより前記パネルが前記ホストケーシングから分離されることを特徴とする、
ケーシング機器。
【請求項８】
前記プレスモジュールは、プレス部と、一端が前記プレス部に連接され、他端が前記パネルに固設される少なくとも１つの第１弾性部材と、を備え、前記プレス部が作動されると前記第１弾性部材が前記ロッドを押して第１方向に沿ってスライドさせ、前記プレス部が解放されると前記第１弾性部材が前記第１ロック部材及び前記プレス部を第２方向に沿って移動させ、前記第１方向は前記第２方向とは逆方向であることを特徴とする請求項７に記載のケーシング機器。
【請求項９】
前記作動モジュールは、前記パネルに枢設される回転可能な回転部材と、前記回転部材の一端に設けられると共に前記ロッドの前記第２端部に連結される第１延長部と、前記回転部材の他端に設けられると共に前記第２ロック部材に連結される第２延長部と、を備え、前記ロッドがスライドすると、前記ロッドの前記第２端部により前記第１延長部が押され、前記回転部材が回転することで前記第２延長部が駆動され、これにより前記第２ロック部材が押されることを特徴とする請求項７または８に記載のケーシング機器。  
【考案の詳細な説明】
【技術分野】
【０００１】
本考案は、取り外し可能なパネルモジュールに関し、更に詳しくは、電子機器に適応する取り外し可能なパネルモジュールに関する。
【背景技術】
【０００２】
サーバーは強力な演算能力を有し、複数の顧客にサービスを提供する。サーバー内部には複数のハードディスクが設置され、様々な用途に使用したりメンテナンスを行うためにハードディスクを抜き差しする場合がある。ハードディスクを抜き差ししやすくするため、サーバーのパネルは取り外し可能に製造され、必要に応じてサーバーの外ケースから着脱する。
【考案の概要】
【考案が解決しようとする課題】
【０００３】
従来のサーバーの取り外し可能なパネルは通常ねじによりサーバーの外ケースに固定される。しかしながら、パネルを取り外す場合、工具（例えば、ドライバー）を使用して取り外し作業を行うため、時間と労力がかかった。また、従来のサーバーの取り外し可能なパネルはセキュリティ機能がないため、権限がない人間でもサーバー内部の装置（例えば、ハードディスク）を持ち出すことできてしまい、サーバー内部の情報を守れなかった。
【０００４】
そこで、新規のメカニズムにより従来のサーバーの取り外し可能なパネルの欠点を改善し、サーバーの情報を守る。
【０００５】
本考案はこうした状況に鑑みてなされたものであり、その目的は、工具を使わずに片手でパネルを取り外せる取り外し可能なパネルモジュールを提供することにある。
【課題を解決するための手段】
【０００６】
上記課題を解決するために、本考案のある態様の取り外し可能なパネルモジュールは、パネルと、ロッドと、プレスモジュールと、作動モジュールと、を備える。
ロッドはパネルに対してスライドし、前記ロッドは第１端部及び第２端部を有する。プレスモジュールはロッドの第１端部に設置され、前記プレスモジュールはロッドに固設される第１ロック部材を備え、第１端部の箇所でホストケーシングに分離可能に連結される。前記作動モジュールはロッドの第２端部に設置され、前記作動モジュールはパネルにスライド可能に設置される第２ロック部材を備え、第２端部の箇所でホストケーシングに分離可能に連結される。プレスモジュールが起動されると、第１ロック部材及び第２ロック部材が反対方向に移動することによりパネルがホストケーシングから分離される。
【図面の簡単な説明】
【０００７】
【図１Ａ】本発明の一実施形態に係る取り外し可能なパネルモジュールを示す正面傾斜図である。
【図１Ｂ】図１Ａに示す取り外し可能なパネルモジュールを示す背面分解図である。
【図１Ｃ】本発明の電子機器のホストケーシングを例示する斜視図である。
【図２Ａ】本発明の一実施形態のプレスモジュールを示す部分斜視図である。
【図２Ｂ】本発明のプレスモジュールを示す部分側面図である。
【図２Ｃ】本発明の別の実施形態によるプレスモジュールを示す部分上面図である。
【図３Ａ】本発明の一実施形態の作動モジュールを示す部分斜視図である。
【図３Ｂ】本発明の作動モジュールを示す部分側面図である。
【図４Ａ】本発明の一実施形態のラッチモジュールを示す部分斜視図である。
【図４Ｂ】本発明の一実施形態のラッチモジュールのストッパーおよびロッドを示す部分側面図を示す。
【考案を実施するための形態】
【０００８】
以下、本開示の実施形態について図面を用いて説明する。なお、本開示は、下記の実施形態に何ら限定されることはなく、本開示の技術的範囲に属する限り種々の形態を採りうる。
【０００９】
図１Ａは本発明の一実施形態に係る取り外し可能なパネルモジュール１００がホストケーシング１２に分離可能に連結され、前記ホストケーシング１２と組み合わせられてケーシング装置１０００を形成することを示す正面傾斜図である。
図１Ｂは図１Ａに示す前記取り外し可能なパネルモジュール１００を示す背面分解図である。ある実施形態では、電子素子が前記ホストケーシング１２に内設されて前記取り外し可能なパネルモジュール１００と組み合わせられ、サーバーのような電子機器が形成される。
図１Ｃはハードディスク１２１、プロセッサー１２２、メモリデバイス１２３、ファン１２４等の電子素子または電気機械素子を有する電子機器２０００の前記ホストケーシング１２を例示する斜視図である。
【００１０】
本実施形態では、前記取り外し可能なパネルモジュール１００は主にパネル１１と、ロッド１３と、プレスモジュール１４と、作動モジュール１５と、を備える。本実施形態では、前記ロッド１３はネジ１３２が貫通させると共に前記パネル１１に固定させるための溝部１３１を有する。前記溝部１３１のサイズは前記ネジ１３２のサイズより大きく、前記ロッド１３は前記パネル１１に対して縦方向に沿ってスライドし、例えば、水平方向に沿ってスライドする。一実施形態において、前記パネル１１には、前記ロッド１３の周辺に前記ロッド１３が意図せぬ方向に移動するのを防止するためのガイドブロック（図示省略）が設けられる。他の実施形態では、前記パネル１１は、前記ロッド１３が所定の方向に移動するようにガイドするための前記ロッド１３に対応する溝（図示省略）を有する。
【００１１】
前記プレスモジュール１４は前記ロッド１３（または前記パネル１１）の第１端部Ａに設置され、前記ロッド１３に固設される第１ロック部材１４１を備え、前記第１端部Ａの箇所で前記ホストケーシング１２に分離可能に連結される。前記作動モジュール１５は前記ロッド１３（または前記パネル１１）の第２端部Ｂに設置され、前記パネル１１にスライド可能に設置される第２ロック部材１５１を備え、前記第２端部Ｂの箇所で前記ホストケーシング１２に分離可能に連結される。詳しくは、第１方向ＡＢは前記第１端部Ａから前記第２端部Ｂに向けての方向と定義され、第２方向ＢＡは前記第２端部Ｂから前記第１端部Ａに向けての方向と定義され、前記第１方向ＡＢは前記第２方向ＢＡとは逆方向である。
前記プレスモジュール１４が起動されると、前記第１ロック部材１４１が解放されると共に前記第１方向ＡＢに沿って移動することにより、前記第１端部Ａの箇所で前記パネル１１が前記ホストケーシング１２から分離される。同時に、前記ロッド１３が前記第１方向ＡＢに沿って移動することにより前記作動モジュール１５が駆動されて前記第２ロック部材１５１が解放され、前記第２方向ＢＡに沿って移動することにより前記第２端部Ｂの箇所で前記パネル１１が前記ホストケーシング１２から分離される。換言すれば、前記プレスモジュール１４が起動されると、前記第１ロック部材１４１及び前記第２ロック部材１５１が反対方向に移動することで前記パネル１１が前記ホストケーシング１２から分離される。これにより、工具を使用せずに片手で前記プレスモジュール１４を起動するのみで前記第１ロック部材１４１及び前記第２ロック部材１５１が同期して解放され、前記パネル１１が前記ホストケーシング１２から完全に分離される。
【００１２】
図２Ａは本発明の一実施形態に係る前記プレスモジュール１４の部分斜視図であり、図２Ｂは前記プレスモジュール１４の部分側面図である。本実施形態において、前記プレスモジュール１４は前記パネル１１（の側面等）に設けられるプレス部１４２を備える。前記プレスモジュール１４はばねのような少なくとも１つの第１弾性部材１４３を含み、前記プレスモジュール１４の一端は前記プレス部１４２に連接され、前記プレスモジュール１４の他端は前記パネル１１に固設される。
前記プレス部１４２が解放されると、前記第１弾性部材１４３により前記第１ロック部材１４１及び前記プレス部１４２が押されて初期位置に達するまで前記第２方向ＢＡに沿って移動する。前記プレス部１４２が作動されると、前記第１弾性部材１４３により前記ロッド１３が押されて前記第１方向ＡＢに沿ってスライドする。この際、前記ロッド１３に固設される前記第１ロック部材１４１が前記ホストケーシング１２から離間するように移動し、前記第１端部Ａの箇所で前記パネル１１が前記ホストケーシング１２から分離される。
【００１３】
本実施形態では、一端が前記ロッド１３の前記第１端部Ａに連結され、他端が前記プレス部１４２及び前記第１ロック部材１４１に連接されるリンク部材１４４を更に備える。前記リンク部材１４４は前記ロッド１３と前記プレス部１４２との間の中間部材として用いられ、前記ロッド１３と前記プレス部１４２との間の距離と方位を増加させる。
【００１４】
本実施形態に係る前記プレスモジュール１４は、前記プレス部１４２と前記リンク部材１４４との間に配置されるプッシュブロック１４５を備える。前記プレス部１４２が起動されると、前記プッシュブロック１４５により前記ロッド１３が間接的に押されて前記第１方向ＡＢに沿って移動する。
【００１５】
図１Ａ及び図２Ａに示されるように、本実施形態において、前記プレス部１４２は前記パネル１１の側面に設けられる。前記プレス部１４２が図２Ａ中の矢印で示される前記第１方向ＡＢに沿って押されると、前記ロッド１３が押されて前記第１方向ＡＢに沿ってスライドする。或いは、前記プレス部１４２が前記パネル１１の他の表面（例えば、前面）に設けられてもよい。
図２Ｃは本発明の他の実施形態に係る前記プレスモジュール１４の部分上面図であり、前記プレス部１４２が前記パネル１１の前面に設けられる。前記プレス部１４２が前記パネル１１に向けて押されると、前記プレス部１４２がプレス部位置１４２Ａに到達する。この際、前記プッシュブロック１４５が前記プレス部１４２の側面により押されてプッシュブロック位置１４５Ａに到達し、前記ロッド１３が前記第１方向ＡＢに沿ってスライドする。
【００１６】
図３Ａは本発明の一実施形態に係る前記作動モジュール１５を示す部分斜視図であり、図３Ｂは前記作動モジュール１５を示す部分側面図である。本実施形態では、前記作動モジュール１５は前記パネル１１に枢設される回転可能な回転部材１５２を備える。本実施形態に係る前記回転部材１５２は円環形を呈するが、前記回転部材１５２が他の形状であってもよい。前記回転部材１５２は前記第１延長部１５３の一端に設けられると共に前記ロッド１３の前記第２端部Ｂに連結される第１延長部１５３を有する。前記回転部材１５２は前記第１延長部１５３の他端に設けられると共に前記第２ロック部材１５１に連接される第２延長部１５４を有する。
前記ロッド１３が前記第１方向ＡＢに沿ってスライドすると、前記ロッド１３の前記第２端部Ｂにより前記第１延長部１５３が押されて前記第１方向ＡＢに沿って移動し、前記回転部材１５２が回転すると共に前記第２延長部１５４が駆動され、これにより前記第２ロック部材１５１が押されて前記第２方向ＢＡに沿って移動すると共に前記ホストケーシング１２から離間し、前記第２端部Ｂの箇所で前記パネル１１が前記ホストケーシング１２から分離される。
【００１７】
前記作動モジュール１５はばねのような少なくとも１つの第２弾性部材１５５を備え、前記第２弾性部材１５５の一端は前記第２ロック部材１５１に連結され、前記第２弾性部材１５５の他端は前記パネル１１に固設される。
前記ロッド１３が前記第２方向ＢＡに沿ってスライドすることにより前記第１延長部１５３が解放され、前記第２弾性部材１５５により前記第２延長部１５４が押されて前記第１方向ＡＢに沿って移動すると共に前記第１延長部１５３が駆動されて前記第２方向ＢＡに沿って移動し、前記第２ロック部材１５１が前記第１方向ＡＢに沿って初期位置に達するまで移動する。
【００１８】
本実施形態では、前記パネル１１にスライド可能に設置されると共に前記第２ロック部材１５１と前記第２弾性部材１５５との間に位置されるリニア移動部材１５６を更に備える。本実施形態では、前記リニア移動部材１５６は、ネジ１５８が貫通させると共に前記パネル１１に固定させるための溝部１５７を有する。前記溝部１５７のサイズが前記ネジ１５８のサイズより大きいため、前記リニア移動部材１５６が前記パネル１１に対して縦方向に沿ってスライドし、例えば、水平方向に沿ってスライドする。また、前記第２延長部１５４の前記第２弾性部材１５５に近接する一端は前記リニア移動部材１５６に連結される。
前記ロッド１３が前記第１方向ＡＢに沿ってスライドすると、前記回転部材１５２が回転することにより前記第２延長部１５４が駆動され、これにより前記リニア移動部材１５６が押されて前記第２方向ＢＡに沿ってスライドし、回転運動が直線運動に変換される。
【００１９】
図１Ｂに示されるように、前記取り外し可能なパネルモジュール１００は前記ロッド１３のスライドを制限するためのラッチモジュール１６を備える。
図４Ａは本発明の一実施形態に係る前記ラッチモジュール１６を示す部分斜視図である。本実施形態では、前記ラッチモジュール１６は、挿入されたキー１６２により回転される回転コラム１６１を含む。本実施形態に係る前記ラッチモジュール１６は前記回転コラム１６１に固設されるストッパー１６３を備える。
図４Ｂは前記ラッチモジュール１６の前記ストッパー１６３及び前記ロッド１３を示す部分側面図である。前記回転コラム１６１が回転されて前記ストッパー１６３を駆動させると、前記ストッパー１６３の前端が前記ロッド１３の止め溝１３３に落とし入れられ（図４Ｂ参照）、前記ロッド１３がロックされて前記ロッド１３のスライドが防止される。前記キー１６２により前記回転コラム１６１が再度回転されて前記ロッド１３の前記止め溝１３３から離れるように前記ストッパー１６３の前端が駆動されると、前記ロッド１３のロックが解除されて自由にスライド可能になる。
【００２０】
上記の実施形態は、本考案の理解を容易にするためのものであり、本考案を限定して解釈するためのものではない。本考案は、その趣旨を逸脱することなく、変更、改良され得ると共に、本考案にはその等価物が含まれることは言うまでもない。
【符号の説明】
【００２１】
１００  パネルモジュール
１０００  装置
２０００  電子機器
１１  パネル
１２  ホストケーシング
１２１  ハードディスク
１２２  プロセッサー
１２３  メモリデバイス
１２４  ファン
１３  ロッド
１３１  溝部
１３２  ネジ
１３３  止め溝
１４  プレスモジュール
１４１  第１ロック部材
１４２  プレス部
１４２Ａ  プレス部位置
１４３  第１弾性部材
１４４  リンク部材
１４５  プッシュブロック
１４５Ａ  プッシュブロック位置
１５  作動モジュール
１５１  第２ロック部材
１５２  回転部材
１５３  第１延長部
１５４  第２延長部
１５５  第２弾性部材
１５６  リニア移動部材
１５７  溝部
１５８  ネジ
１６  ラッチモジュール
１６１  回転コラム
１６２  キー
１６３  ストッパー
Ａ  第１端部
Ｂ  第２端部
ＡＢ  第１方向
ＢＡ  第２方向
【図１Ａ】
0003226617.tif 000003
【図１Ｂ】
0003226617.tif 000004
【図１Ｃ】
0003226617.tif 000005
【図２Ａ】
0003226617.tif 000006
【図２Ｂ】
0003226617.tif 000007
【図２Ｃ】
0003226617.tif 000008
【図３Ａ】
0003226617.tif 000009
【図３Ｂ】
0003226617.tif 000010
【図４Ａ】
0003226617.tif 000011
【図４Ｂ】
0003226617.tif 000012
【手続補正書】
【提出日】令和2年4月10日(2020.4.10)
【手続補正１】
【補正対象書類名】実用新案登録請求の範囲
【補正対象項目名】全文
【補正方法】変更
【補正の内容】
【実用新案登録請求の範囲】
【請求項１】
ホストケーシングに連結される取り外し可能なパネルモジュールであって、
パネルと、
前記パネルに対してスライドし、第１端部及び第２端部を有するロッドと、
前記ロッドの前記第１端部に設置され、前記ロッドに固設される第１ロック部材を含み、前記第１端部の箇所で前記ホストケーシングに連結されるプレスモジュールと、
前記ロッドの前記第２端部に設置され、前記パネルに設置される第２ロック部材を含み、前記第２端部の箇所で前記ホストケーシングに連結される作動モジュールと、を備え、
前記プレスモジュールが起動されると、前記第１ロック部材及び前記第２ロック部材が反対方向に移動することにより前記パネルが前記ホストケーシングから分離されることを特徴とする、
取り外し可能なパネルモジュール。
【請求項２】
前記プレスモジュールは、プレス部と、一端が前記プレス部に連接され、他端が前記パネルに固設される少なくとも１つの第１弾性部材と、を備え、前記プレス部が作動されると前記第１弾性部材が前記ロッドを押して第１方向に沿ってスライドさせ、前記プレス部が解放されると前記第１弾性部材が前記第１ロック部材及び前記プレス部を第２方向に沿って移動させ、前記第１方向は前記第２方向とは逆方向であることを特徴とする請求項１に記載の取り外し可能なパネルモジュール。
【請求項３】
前記作動モジュールは、前記パネルに枢設される回転可能な回転部材と、前記回転部材の一端に設けられると共に前記ロッドの前記第２端部に連結される第１延長部と、前記回転部材の他端に設けられると共に前記第２ロック部材に連結される第２延長部と、を備え、前記ロッドがスライドすると、前記ロッドの前記第２端部により前記第１延長部が押され、前記回転部材が回転することで前記第２延長部が駆動され、これにより前記第２ロック部材が押されることを特徴とする請求項１または２に記載の取り外し可能なパネルモジュール。
【請求項４】
ホストケーシングと、
前記ホストケーシングに内設される複数の電子素子と、
前記ホストケーシングに連結されるパネルと、
前記パネルに対してスライドし、第１端部及び第２端部を有するロッドと、
前記ロッドの前記第１端部に設置され、前記ロッドに固設される第１ロック部材を含み、前記第１端部の箇所で前記ホストケーシングに連結されるプレスモジュールと、
前記ロッドの前記第２端部に設置され、前記パネルに設置される第２ロック部材を含み、前記第２端部の箇所で前記ホストケーシングに連結される作動モジュールと、を備え、
前記プレスモジュールが起動されると、前記第１ロック部材及び前記第２ロック部材が反対方向に移動することにより前記パネルが前記ホストケーシングから分離されることを特徴とする、
電子機器。
【請求項５】
前記プレスモジュールは、プレス部と、一端が前記プレス部に連接され、他端が前記パネルに固設される少なくとも１つの第１弾性部材と、を備え、前記プレス部が作動されると前記第１弾性部材が前記ロッドを押して第１方向に沿って移動させ、前記プレス部が解放されると前記第１弾性部材が前記第１ロック部材及び前記プレス部を第２方向に沿って移動させ、前記第１方向は前記第２方向とは逆方向であることを特徴とする請求項４に記載の電子機器。
【請求項６】
前記作動モジュールは、前記パネルに枢設される回転可能な回転部材と、前記回転部材の一端に設けられると共に前記ロッドの前記第２端部に連結される第１延長部と、前記回転部材の他端に設けられると共に前記第２ロック部材に連結される第２延長部と、を備え、前記ロッドがスライドすると、前記ロッドの前記第２端部により前記第１延長部が押され、前記回転部材が回転することで前記第２延長部が駆動され、これにより前記第２ロック部材が押されることを特徴とする請求項４または５に記載の電子機器。
【請求項７】
ホストケーシングと、
前記ホストケーシングに連結されるパネルと、
前記パネルに対してスライドし、第１端部及び第２端部を有するロッドと、
前記ロッドの前記第１端部に設置され、前記ロッドに固設される第１ロック部材を含み、前記第１端部の箇所で前記ホストケーシングに連結されるプレスモジュールと、
前記ロッドの前記第２端部に設置され、前記パネルに設置される第２ロック部材を含み、前記第２端部の箇所で前記ホストケーシングに連結される作動モジュールと、を備え、
前記プレスモジュールが起動されると、前記第１ロック部材及び前記第２ロック部材が反対方向に移動することにより前記パネルが前記ホストケーシングから分離されることを特徴とする、
ケーシング機器。
【請求項８】
前記プレスモジュールは、プレス部と、一端が前記プレス部に連接され、他端が前記パネルに固設される少なくとも１つの第１弾性部材と、を備え、前記プレス部が作動されると前記第１弾性部材が前記ロッドを押して第１方向に沿ってスライドさせ、前記プレス部が解放されると前記第１弾性部材が前記第１ロック部材及び前記プレス部を第２方向に沿って移動させ、前記第１方向は前記第２方向とは逆方向であることを特徴とする請求項７に記載のケーシング機器。
【請求項９】
前記作動モジュールは、前記パネルに枢設される回転可能な回転部材と、前記回転部材の一端に設けられると共に前記ロッドの前記第２端部に連結される第１延長部と、前記回転部材の他端に設けられると共に前記第２ロック部材に連結される第２延長部と、を備え、前記ロッドがスライドすると、前記ロッドの前記第２端部により前記第１延長部が押され、前記回転部材が回転することで前記第２延長部が駆動され、これにより前記第２ロック部材が押されることを特徴とする請求項７または８に記載のケーシング機器。